(57)【要約】      （修正有）【課題】自動車のダッシュボードに配設された電子機器固定用の基座にＧＰＳナビゲーターなどの電子機器を着脱可能に接続するためのコネクタ集成体の提供。【解決手段】コネクタ集成体は、プラグ用コネクタ４及びソケット用コネクタ５から構成される。プラグ用コネクタ４は、絶縁プラグ基部と、1列に配列されたプラグ端子と、絶縁プラグ基部に装着されたプラグ用外郭とからなり、基座３に取付けられる。絶縁プラグ基部には、縁部が円弧状に丸みを帯びた据付け表面がある。ソケット用コネクタ５は、絶縁ソケット基部と、1列に配列されたソケット端子と、絶縁ソケット基部に装着されたソケット用外郭とから成り、プラグ用コネクタ４に着脱自在に取付けられるようになっている。絶縁ソケット基部には、絶縁プラグ基部の据付け表面を絶縁ソケット基部へ案内するために縁部が円弧状に丸みを帯びている取付け表面がある。【選択図】図１Ｃ
0003139143.tif 000002
【実用新案登録請求の範囲】
【請求項１】
プラグ用コネクタとソケット用コネクタとから構成されるコネクタ集成体であって、
前記プラグ用コネクタは、湾曲した前面部、後面部、両側面部、上面部及び長手方向に並列に配設された端子通路を有する絶縁プラグ基部と、
伝導性であって、絶縁プラグ基部の中に形成された前記端子通路のそれぞれに対応して一列に配設されたプラグ端子を有し、前記各々のプラグ端子は対応する端子通路に配設される接点と、該接点と直交方向に折曲げ突出形成されたハンダ付け部とが設けられており、更に、
前記絶縁プラグ基部に配置される実質的に逆Ｕ字形であって、両側部と後縁部を有する平板部と、平坦部の両側部からそれぞれ垂直に突出して形成され、各々前端部および後端部を有する２つの相対向するウイング部とを有するプラグ用外郭とを有し、
前記ソケット用コネクタは、前記絶縁プラグ基部の湾曲した前面を挿入し易いように案内するための湾曲した前面部と、後面部、相対向する両側面部、上面部、底面部、及び長手方向に並列に配設された端子通路とを有する絶縁ソケット基部と、
前記絶縁ソケット基部の端子通路それぞれに対応してその中に配置されたプラグ端子各々に対応している一列になるソケット端子を有し、各ソケット端子は、それぞれ、対応する端子用スロットに配置された可撓性端子本体部と、該端子本体部から垂直に突出して形成されたハンダ付け部と、該端子本体部から垂直に突出して形成された三角形の傾斜接点とを備え、該接点には、絶縁ソケット基部の湾曲前面部の丸みを帯びた縁部と実質的に隣接し、プラグ用コネクタの対応するプラグ端子をソケット用コネクタへスムーズに案内する傾斜前縁部と、それぞれの端子用スロットから突出していて且つプラグ用コネクタのそれぞれのプラグ端子の接点に一致して隣接する尖端部とを備え、そして更に、
前記プラグ用コネクタを保持するための窪みを形成するために、上面部と、底面部と、そして、それぞれ前方端および後方端部を備える相対向した両側面部を持ち、前記絶縁ソケット基部を覆って装着されるソケット用外郭と、からなることを特徴とするコネクタ集成体。
【請求項２】
絶縁プラグ基部の各々の側面部には突出して形成された制限肩部が設けてあり、プラグ用外郭の各々のウイング部の前方端部から突出して形成された制限タブが前記絶縁プラグ基部の前記制限肩部に接合するようになっていることを特徴とする請求項１記載のコネクタ集成体。
【請求項３】
プラグ用コネクタの各側面部には、位置決め用凹部が各側面部の上下方向に向けて形成されており、また、プラグ用外郭のそれぞれのウイング部には、位置決め用タブが該ウイング部から内方に向かって突出して形成されていて、絶縁プラグ基部のそれぞれ対応する位置決め用凹部に係合するようになっていることを特徴とする請求項２記載のコネクタ集成体。
【請求項４】
絶縁プラグ基部の後面部には、１対の固定用突起が突出して形成されており、また、絶縁ソケット基部の後面部には、更に１対の固定用突起が突出して形成されていることを特徴とする請求項３記載のコネクタ集成体。
【請求項５】
プラグ用外郭の各ウイング部には、更に挿入タブがその後面部から突出して形成されており、また、ソケット用外郭の各側面部は、更にその後端部から突出して形成されている、ことを特徴とする請求項４記載のコネクタ集成体。
【請求項６】
プラグ用外郭には、更に複数個の固定用タブがその平板部の後方縁部から突出して形成されており、各固定用タブにはその中心を通過して固定具用孔部が形成され、また、ソケット用外郭には、更に複数個の固定用タブがその上面から突出して形成されており、各固定用タブにはその中心を通過して固定具用孔部が形成されている、ことを特徴とする請求項５記載のコネクタ集成体。
【請求項７】
ソケット用外郭の各々の側部の表面それぞれには、内方へ傾斜して形成された圧縮用タブが配設されており、プラグ用コネクタのプラグ用外郭のそれぞれ対応するウイング部に対し圧接するようになっていることを特徴とする請求項６記載のコネクタ集成体。
【請求項８】
各々のソケット端子では、ハンダ付け部に隣接した端子本体部から突出して補強部が形成され、ソケット用端子の補強をするようになっていることを特徴とする請求項７記載のコネクタ集成体。
【請求項９】
プラグ用外郭及びソケット用外郭は、それぞれ金属製材質で形成されていることを特徴とする請求項７記載のコネクタ集成体。
【考案の詳細な説明】
【技術分野】
【０００１】
本考案は、コネクタ集成体に関し、更に具体的に説明すると、特に、自動車のダッシュボードに配設された電子機器固定用の基座に電子機器を着脱可能に接続するコネクタ集成体に関するものである。
【背景技術】
【０００２】
衛星利用測位システム（ＧＰＳ）ナビゲーターは走行・方位に対し利用されるもので、特に最近では、自動車の走行の方位に対して利用されることが非常に多くなって来ている。
ＧＰＳナビゲーターは自動車に最初から内蔵装備されている場合もあるし、携帯式のものもある。携帯式ＧＰＳナビゲーターは値段が安い上に、使用者が自分で一式購入して、装着したいと思う自動車やボートや自転車などに装着することができるし、また、使用者が自動車などから離れて外を歩いている場合などに、安全のために取り外して携帯することができるために、人気がありよく売れている。
しかるに、携帯式ＧＰＳナビゲーターを、内蔵式ＧＰＳナビゲーターと同様に使い勝手を良くするためには自動車のダッシュボードなどに携帯式ＧＰＳナビゲーターを接続するための接続手段が必要である。
本考案は、この問題点を解消するためのコネクタ集成体を提供する。
【考案の開示】
【考案が解決しようとする課題】
【０００３】
本考案は、自動車のダッシュボードに配設された基座に電子機器を着脱可能に接続するコネクタ集成体を提供することを第1の目的とする。
本考案のコネクタ集成体は、プラグ用コネクタ及びソケット用コネクタから構成される。
前記プラグ用コネクタは、絶縁プラグ基部と、長手（両側面間方向）方向の1列に並列状態に配設されたプラグ端子と、絶縁プラグ基部に装着されたプラグ用外郭とから成り、基座に取付けられる。絶縁プラグ基部には、縁部が円弧状に丸みを帯びた据付け表面がある。
前記ソケット用コネクタは、絶縁ソケット基部と、長手（両側面間方向）方向の1列に並列状態に配設されたソケット端子と、絶縁ソケット基部に装着されたソケット用外郭とから成り、前記プラグ用コネクタに着脱自在に取付けられるようになっている。
【０００４】
前記絶縁ソケット基部には、絶縁プラグ基部の据付け表面を絶縁ソケット基部へ案内するために縁部が円弧状に丸みを帯びている取付け表面がある。また、絶縁プラグ基部及び絶縁ソケット基部の双方の丸みを帯びた表面縁部により、プラグ用コネクタとソケット用コネクタとの接続を円弧状を描く移動軌跡に沿って容易に行えるようにし、これにより両者の不整合の危険性を防止する。
【課題を解決するための手段】
【０００５】
上述の目的を達成するため、本考案の請求項１に記載のコネクタ集成体は、プラグ用コネクタと、ソケット用コネクタとから構成されており、前記プラグ用コネクタは、湾曲した前面部、後面部、両側面部、上面部及び長手方向に並列に配設された端子通路を有する絶縁プラグ基部と、伝導性であって、絶縁プラグ基部の中に形成された前記端子通路のそれぞれに対応して一列に配設されたプラグ端子を有し、前記各々のプラグ端子は対応する端子通路に配設される接点と、該接点と直交方向に折曲げ突出形成されたハンダ付け部とが設けられており、更に、前記絶縁プラグ基部に配置される実質的に逆Ｕ字形であって、両側部と後縁部を有する平板部と、平坦部の両側部からそれぞれ垂直に突出して形成され、各々前端部および後端部を有する２つの相対向するウイング部とを有するプラグ用外郭とを有し、前記ソケット用コネクタは、前記絶縁プラグ基部の湾曲した前面を挿入し易いように案内するための湾曲した前面部と、後面部、相対向する両側面部、上面部、底面部、及び長手方向に並列に配設された端子通路とを有する絶縁ソケット基部と、前記絶縁ソケット基部の端子通路それぞれに対応してその中に配置されたプラグ端子各々に対応している一列になるソケット端子を有し、各ソケット端子は、それぞれ、対応する端子用スロットに配置された可撓性端子本体部と、該端子本体部から垂直に突出して形成されたハンダ付け部と、該端子本体部から垂直に突出して形成された三角形の傾斜接点とを備え、該接点には、絶縁ソケット基部の湾曲前面部の丸みを帯びた縁部と実質的に隣接し、プラグ用コネクタの対応するプラグ端子をソケット用コネクタへスムーズに案内する傾斜前縁部と、それぞれの端子用スロットから突出していて且つプラグ用コネクタのそれぞれのプラグ端子の接点に一致して隣接する尖端部とを備え、そして更に、前記プラグ用コネクタを保持するための窪みを形成するために、上面部と、底面部と、そして、それぞれ前方端および後方端部を備える相対向した両側面部を持ち、前記絶縁ソケット基部を覆って装着されるソケット用外郭と、からなることを特徴とする。
【０００６】
請求項２の考案は、請求項１記載のコネクタ集成体において、絶縁プラグ基部の各々の側面部には突出して形成された制限肩部が設けてあり、プラグ用外郭の各々のウイング部の前方端部から突出して形成された制限タブが前記絶縁プラグ基部の前記制限肩部に接合するようになっていることを特徴とする。
【０００７】
請求項３の考案は、請求項２記載のコネクタ集成体において、プラグ用コネクタの各側面部には、位置決め用凹部が各側面部の上下方向に向けて形成されており、また、プラグ用外郭のそれぞれのウイング部には、位置決め用タブが該ウイング部から内方に向かって突出して形成されていて、絶縁プラグ基部のそれぞれ対応する位置決め用凹部に係合するようになっていることを特徴とする。
【０００８】
請求項４の考案は、請求項３記載のコネクタ集成体において、絶縁プラグ基部の後面部には、１対の固定用突起が突出して形成されており、また、絶縁ソケット基部の後面部には、更に１対の固定用突起が突出して形成されていることを特徴とする。
【０００９】
請求項５の考案は、請求項４記載のコネクタ集成体において、プラグ用外郭の各ウイング部には、更に挿入タブがその後面部から突出して形成されており、また、ソケット用外郭の各側面部は、更にその後端部から突出して形成されている、ことを特徴とする。
【００１０】
請求項６の考案は、請求項５記載のコネクタ集成体において、プラグ用外郭には、更に複数個の固定用タブがその平板部の後方縁部から突出して形成されており、各固定用タブにはその中心を通過して固定具用孔部が形成され、また、ソケット用外郭には、更に複数個の固定用タブがその上面から突出して形成されており、各固定用タブにはその中心を通過して固定具用孔部が形成されていることを特徴とする。
【００１１】
請求項７の考案は、請求項６記載のコネクタ集成体において、ソケット用外郭の各々の側部の表面それぞれには、内方へ傾斜して形成された圧縮用タブが配設されており、プラグ用コネクタのプラグ用外郭のそれぞれ対応するウイング部に対し圧接するようになっていることを特徴とする。
【００１２】
請求項８の考案は、請求項７記載のコネクタ集成体において、各々のソケット端子では、ハンダ付け部に隣接した端子本体部から突出して補強部が形成され、ソケット用端子の補強をするようになっていることを特徴とする。
【００１３】
請求項９の考案は、請求項７記載のコネクタ集成体において、プラグ用外郭及びソケット用外郭は、それぞれ金属製材質で形成されていることを特徴とする。
【考案の効果】
【００１４】
本考案のコネクタ集成体は、例えば自動車のダッシュボードなどに設置した基座にプラグ用コネクタを取付けて、そして、例えば携帯式のＧＰＳナビゲーターの底部支持部にソケット用コネクタを旋回可能に取付けて、ソケット用コネクタを該ソケット用コネクタの描く円弧軌道に沿って移動するようにして、ソケット用コネクタとプラグ用コネクタとを確実に整合することができ、これにより基座側からＧＰＳナビゲーターへの電力伝送が簡単に行えるようにし、  
また、プラグ用コネクタ側およびソケット用コネクタ双方の接合点となる縁部表面をそれぞれ円弧状に丸みを帯びた表面にしたことで、両者の接合が更に確実に容易に行われ、商品の信頼性が高い。
【００１５】
さらには、ソケット用コネクタはプラグ用コネクタに着脱可能に取付けられるので、利用者が自動車などから離れるときに、ＧＰＳナビゲーター側を基座から外して携帯することができるので、未然に盗難防止に備えることができ、安心感がもたらされる。
【考案を実施するための最良の形態】
【００１６】
以下、本考案の好適な一実施例について図面を参照して説明する。
図１Ａは、本考案のコネクタ集成体の一実施例を示す電子機器が基座に取付けられた使用状態を示す側面図、図１Ｂは、電子機器の底部が基座の下部支持部に据え付けられ、コネクタ集成体のソケット用コネクタとプラグ用コネクタが整合される使用状態を示す側面図、図１Ｃは、電子機器、基座、およびコネクタ集成体それぞれの破断斜視図、図２Ａは、図１のコネクタ集成体のプラグ用コネクタとプラグ用コネクタとを分離した状態を示す部分破断斜視図、図２Ｂは、図２Ａのコネクタ集成体のプラグ用コネクタの破断斜視図、図２Ｃは、図２Ａのコネクタ集成体のソケット用コネクタの破断斜視図、そして、図２Ｄは、図２Ａのソケット用コネクタの拡大斜視図である。
【実施例１】
【００１７】
図１Ａ，１Ｂ，１Ｃを参照して説明する。
本考案のコネクタ集成体は、自動車のダッシュボード上に配設されている基座３に電子機器２を接続するものである。電子機器２は、例えば、衛星利用測位システム（ＧＰＳ）ナビゲーターや、ＭＰ３プレーヤ（MPEG-1 audio layer 3 player）や、携帯電話であり、電子機器２の底部には所定の間隔で設けた1対の位置付け用ノッチ２０が形成されている。基座３は、その底部から垂直前方に突出して形成された下部支持部に1対の位置付け用ボス３１，３１が形成されており、これら位置決め用ボス３１，３１は、それぞれ、電子機器２の位置付け用ノッチ２０，２０と対応する位置に形成してあり、互いに係合し、これにより電子機器２を着脱可能に保持する。
【００１８】
コネクタ集成体は、プラグ用コネクタ４とソケット用コネクタ５とから構成される。
更に、図２Ａ及び２Ｂを参照して説明すると、プラグ用コネクタ４は、絶縁プラグ基部４１と、長手方向の一列の並列状態に配設されたプラグ端子と４２と、プラグ用外郭４３とから構成され、前記基座３に装着されるようになっている。
【００１９】
前記絶縁プラグ基部４１は、湾曲した形状の前面部４１１と、後面部４１２、相対向する側面部４１３，４１３、上面部４１５、底面部４１６、そして、１列に配設された端子用通路４１０とから構成されており、前記後面部４１２は丸みを付けられ、１対の据付け用突起が突出して形成されており、この突起で基座３に固定される。
側面部４１３，４１３には、各側面部から突出して形成された制限肩部４１３１と、各側部の横方向に限定された位置決め用凹部４１３２とが備わっている。そして、端子用通路４１０が絶縁プラグ基部４１１の直交方向に延びて形成されている。
【００２０】
プラグ端子４２は伝導性であって、絶縁プラグ基部の端子用通路４１０の各々に対応して配置されるようになっている。各々のプラグ端子４２には、接点４２１とハンダ付け部４２２がある。ハンダ付け部４２２は接点４２１から垂直に突出するように直角に折り曲げ形成されており、基座３にハンダ付けされ固定される。
【００２１】
プラグ用外郭４３は金属製材料によって成形されたものであって、実質的に逆Ｕ字形であって、絶縁プラグ基部４１上に装着されるもので、相対向する側縁部と後縁部とが備わった平板部４３１と、該平板部４３１の両側の側縁部から垂直突出方向に折り曲げられて相対向して形成されたウイング部４３２，４３２と、更には、複数個の位置決め用タブとで構成されている。各々のウイング部４３２には、前端と、後端と、更には制限タブ４３２１と、位置決め用タブ４３２２、及び挿入用タブ４３２３とが形成されている。制限用タブ４３２１はウイング部４３２の前端から突出して形成されており、絶縁プラグ基部４１の制限用肩部４１３１に当接し、プラグ用外郭４３が絶縁プラグ基部４１から滑り落ちないようにする。
【００２２】
各々の位置決め用タブ４３２２はウイング部４３２の内方へ向かって突出して形成されていて、それぞれの位置決め用凹部４１３２に係合して、プラグ用外郭４３が、絶縁プラグ基部４１上で縦方向や横方向に摺動しないようにする。挿入用タブ４３２３がウイング部４３２の後端から垂直に突出して形成されていて、基座３に装着される。この据付け用タブ４３５は平板部４３１の後縁部から垂直に突出して複数個形成されていて、それぞれに固定具用孔部が貫通して形成されている。そして、この孔部を介してネジ、ボルト、リベットなどの固定具で据付け用タブを基座３に装着する。
【００２３】
次に、図２Ｃおよび２Ｄを参照して説明する。
ソケット用コネクタ５は、絶縁ソケット基部５１と、一列に配置されたソケット端子５２、そしてソケット用外郭５３とから構成され、プラグ用コネクタ４に着脱可能に接続されるようになっている。
絶縁ソケット基部５１は、湾曲した前面部５１１、後面部５１２、相対向する側面部５１４、上面部５１５、底面部５１６、そして、一列に配設された端子用スロット５１０とから構成されている。
【００２４】
湾曲した前面部５１１は、絶縁プラグ基部４１の接続縁部４１１を案内して挿入し易くするために、縁部５１１１が丸みを帯びて形成されている。絶縁ソケット基部５１の後面部５１２には１対の据付け用突起５１２１が突出して形成されていて、この突起で電子機器２に固定されるようになっている。各端子用スロット５１０は絶縁ソケット基部５１の中を縦方向に形成されている。
【００２５】
ソケット用コネクタ５のソケット端子５２は、それぞれ、一列に配置されたプラグ端子に対応して形成されており、各プラグ端子が絶縁ソケット基部５１の端子用スロット５１０の中にそれぞれ対応して装着されるようになる。
各々のソケット端子５２には、端子本体部５２２と、ハンダ付け部５２４と、傾斜接点５２１が備わっていて、更に、補強部５２３が形成されている。
【００２６】
端子本体部５２２は可撓性のものであり、絶縁ソケット基部５１に配置されている端子用スロット５１０の中に装着される。
ハンダ付け部５２４は端子本体部５２２から垂直に突出して形成され、このハンダ付け部５２４で電子機器２にハンダ付けされて固定される。
傾斜接点５２１は三角形をしていて、端子本体部５２２から突出して形成され、傾斜した前縁部５２１１および尖端部５２１２がある。傾斜前縁部５２１１は絶縁ソケット基部５１の湾曲した前面部５１１の丸みを帯びた縁部５１１１に実質的に隣接して、プラグ用コネクタ４のプラグ端子４２それぞれを、対応するソケット用コネクタ５の端子用スロットへスムーズに案内する機能を有する。
【００２７】
それぞれの尖端部５２１２は、対応する端子用スロットから飛び出て、プラグ用コネクタ４の対応するプラグ端子４２の接点４２１に一致して隣接されることで位置決めされ、安定した信号伝送や電力伝送が行われる。
ソケット端子５２の強度を増すために、補強部５２３がハンダ付け部５２４に隣接して端子本体部５２２から突出して形成されている。
ソケット用外郭５３は、上面部５３１、底面部５３２、相対向して配置された両側面部５３４，５３４から成る筒形箱体状のもので、更には複数個の据付け用タブ５３５が配設されており、金属製であって、ソケット端子５２を組み込んだ絶縁ソケット基部５１上に据え付けられて基部５１を覆うことで、プラグ用コネクタ４を保持する空洞部を形成する。
【００２８】
各々の側部５３４には前端部および後端部があり、更に圧縮タブ５３４１と挿入タブ５３４２が形成されている。
各々の圧縮タブ５３４１は、それぞれの側面部５３４で内方に向かって傾斜して形成されており、プラグ用コネクタ４がソケット用コネクタ５に係合されたときに、プラグ用コネクタ４のプラグ用外郭の対応ウイング部に対して圧接するようになる。
挿入タブ５３４２が各側面部５３４の後端部から突出して形成されており、これにより電子機器に固定される。据付け用タブ５３５がソケット用外郭の上面部５３１の縁から上方に突出して形成されており、それぞれに固定具用孔部が貫通して形成されている。そして、この孔部を介してネジ、ボルト、リベットなどの固定具で据付け用タブ５３５を電子機器２に固定する。
このようにプラグ用コネクタ及びソケット用コネクタを、それぞれ、基座及び電子機器に装着して固定する。
【００２９】
使用時にあっては、電子機器側の位置決め用ノッチ２０を基座３の各々の位置決め用ボス３１と係合させて、電子機器を基座３に取り付ける。
この位置決め用ノッチ２０は電子機器がその周囲で旋回する支点として機能するもので、これにより、プラグ用コネクタ４を直線軌道ではなく、円弧軌道に沿って移動し、ソケット用コネクタ５に整合させて取付けることができる。
【００３０】
このようにプラグ用コネクタ４がソケット用コネクタ５の描く円弧軌道を移動するようになるので、絶縁ソケット基部５１の湾曲した前面５１１の丸みを帯びた縁部５１１１がプラグ用コネクタ４の絶縁プラグ基部４１の湾曲した前面４１１をスムーズに、そして簡単に、確実に、いかも安定一致させて案内することができることで、両者の不整合が起こるといったような危険性をなくすことができ、安全に信頼性高い電力提供ができるようになる。
【００３１】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００３２】
【図１Ａ】本考案のコネクタ集成体の一実施例を用いて電子機器が基座に取付けられる使用状態を示す側面図。
【図１Ｂ】電子機器の底部が基座の下部支持部に据え付けられ、コネクタ集成体のソケット用コネクタとプラグ用コネクタが整合される使用状態を示す側面図。
【図１Ｃ】電子機器、基座、およびコネクタ集成体それぞれの破断斜視図。
【図２Ａ】図１のコネクタ集成体のプラグ用コネクタとプラグ用コネクタとを分離した状態を示す部分破断斜視図。
【図２Ｂ】図２Ａのコネクタ集成体のプラグ用コネクタの破断斜視図。
【図２Ｃ】図２Ａのコネクタ集成体のソケット用コネクタの破断斜視図。
【図２Ｄ】図２Ａのソケット用コネクタの拡大斜視図。
【符号の説明】
【００３３】
２  電子機器
３  基座
２０  1対の位置決め用ノッチ
３１  1対の位置決め用ボス
４    プラグ用コネクタ
４１  絶縁プラグ基部
４２  プラグ端子と４２
４３  プラグ用外郭
５  ソケット用コネクタ
５１  絶縁ソケット基部
５２  ソケット端子
５３  ソケット用外郭
５１０  端子用スロット
５１１  湾曲した前面
５１２  後面
５１４  相対向する側部、
５１５  上面
５１６底面５
５１０端子用スロット
【図１Ａ】
0003139143.tif 000003
【図１Ｂ】
0003139143.tif 000004
【図１Ｃ】
0003139143.tif 000005
【図２Ａ】
0003139143.tif 000006
【図２Ｂ】
0003139143.tif 000007
【図２Ｃ】
0003139143.tif 000008
【図２Ｄ】
0003139143.tif 000009